(57)【特許請求の範囲】
【請求項１】
水を貯留する容器と、
前記容器と密閉状態で接続されて前記容器から水が供給されると共に、前記容器から供給された水により水和反応して反応熱で水蒸気を発生させ加熱により脱水反応を生じる化合物を内蔵する第一反応器と、
前記第一反応器と密閉状態で接続されて前記第一反応器から水蒸気が供給されると共に、前記第一反応器から供給された水蒸気により水和反応を生じることで発熱し加熱により脱水反応を生じることで蓄熱し且つ加熱対象と熱的に接触される化学蓄熱材を内蔵する一対の第二反応器と、
前記第一反応器と一対の前記第二反応器の各々とを接続する配管に設けられた開閉弁と、
前記開閉弁を制御して、前記第一反応器から一対の前記第二反応器の各々への水蒸気の供給量及び供給タイミングを調節する制御部と、
を備え、
一方の前記第二反応器、他方の前記第二反応器、及び、前記第一反応器は、エンジンの排ガスを排出する排気管の内部に上流側から順に設けられ、
一対の前記第二反応器は、その内部に設けられた前記排ガスを流通させるガス流路に前記排ガスを浄化する触媒を前記加熱対象として担持しており、
前記制御部は、前記エンジンの始動時の初期段階では、前記第一反応器から一方の前記第二反応器に水蒸気が供給されるように、前記開閉弁を制御し、前記初期段階以後の段階では、前記一対の第二反応器内の前記化学蓄熱材の温度が、当該化学蓄熱材の平衡温度に達していないならば、前記第一反応器から一対の前記第二反応器の各々に水蒸気が供給されるように、前記開閉弁を制御する、
化学蓄熱装置。
【請求項２】
水を貯留する容器と、
前記容器と密閉状態で接続されて前記容器から水が供給されると共に、前記容器から供給された水により水和反応して反応熱で水蒸気を発生させ加熱により脱水反応を生じる化合物を内蔵する第一反応器と、
前記第一反応器と密閉状態で接続されて前記第一反応器から水蒸気が供給されると共に、前記第一反応器から供給された水蒸気により水和反応を生じることで発熱し加熱により脱水反応を生じることで蓄熱し且つ加熱対象と熱的に接触される化学蓄熱材を内蔵する一対の第二反応器と、
前記第一反応器と一対の前記第二反応器の各々とを接続する配管に設けられた開閉弁と、
前記開閉弁を制御して、前記第一反応器から一対の前記第二反応器の各々への水蒸気の供給量及び供給タイミングを調節する制御部と、
エンジンの回転数及び吐出圧を検出する運転状態検出器と、
を備え、
一対の前記第二反応器は、その内部に設けられた排ガスを流通させるガス流路に前記排ガスを浄化する触媒を前記加熱対象として担持しており、
前記制御部は、前記運転状態検出器の検出結果に基づき、前記エンジンが部分負荷の運転状態にあると判断した場合には、前記第一反応器から一方の前記第二反応器に水蒸気が供給されるように、前記開閉弁を制御し、前記運転状態検出器の検出結果に基づき、前記エンジンが全負荷の運転状態にあると判断した場合には、前記第一反応器から一対の前記第二反応器の各々に、前記一対の第二反応器内の前記化学蓄熱材の平衡温度に達するまで、水蒸気が供給されるように、前記開閉弁を制御する、
化学蓄熱装置。
【請求項３】
前記第一反応器は、エンジンの排ガスを排出する排気管の内部に設けられると共に、前記第一反応器の内部に設けられた前記排ガスを流通させるガス流路に前記排ガスを浄化する触媒を担持している、
請求項１または請求項２に記載の化学蓄熱装置。
【請求項４】
水を貯留する容器と、
前記容器と密閉状態で接続されて前記容器から水が供給されると共に、前記容器から供給された水により水和反応して反応熱で水蒸気を発生させ加熱により脱水反応を生じる化合物を内蔵する第一反応器と、
前記第一反応器と密閉状態で接続されて前記第一反応器から水蒸気が供給されると共に、前記第一反応器から供給された水蒸気により水和反応を生じることで発熱し加熱により脱水反応を生じることで蓄熱し且つ加熱対象と熱的に接触される化学蓄熱材を内蔵する第二反応器と、
を備え、
前記第一反応器及び前記第二反応器は、エンジンの排ガスを排出する排気管の内部に設けられると共に、前記排気管をその長手方向と直交する方向に切断した場合の同一断面上に配置されており、
前記第二反応器は、エンジンの排ガスを排出する排気管の内部に設けられると共に、その内部に設けられた前記排ガスを流通させるガス流路に前記排ガスを浄化する触媒を前記加熱対象として担持している、
化学蓄熱装置。
【請求項５】
前記第一反応器は、前記第二反応器の重力方向下側に設けられると共に、重力方向における前記第二反応器との間に重力方向に貫通して形成された連通路を介して前記第二反応器と連通されている、
請求項４に記載の化学蓄熱装置。
【請求項６】
前記第一反応器及び前記第二反応器は、前記排気管の内部に同軸上に配置されている、
請求項４に記載の化学蓄熱装置。
【請求項７】
前記排気管の内部における前記第一反応器及び前記第二反応器よりも上流側に設けられると共に、前記第一反応器に流れる前記排ガスの流量と、前記第二反応器に流れる前記排ガスの流量との割合を調節する流量割合調整部を備えた、
請求項４〜請求項６のいずれか一項に記載の化学蓄熱装置。
【請求項８】
前記排ガスの温度を検出するガス温度検出器と、
前記ガス温度検出器に基づく検出値が予め定められた規定値よりも低い場合には、前記第二反応器に流れる前記排ガスの流量の方が、前記第一反応器に流れる前記排ガスの流量よりも多くなるように、前記流量割合調整部を制御する制御部と、
を備えた請求項７に記載の化学蓄熱装置。
【請求項９】
前記第一反応器及び前記第二反応器の少なくとも一方と密閉状態で接続されて前記第一反応器及び前記第二反応器の少なくとも一方から前記脱水反応に伴って生じた水蒸気が供給されると共に、前記第一反応器及び前記第二反応器の少なくとも一方から供給された水蒸気を凝縮させて、該凝縮により得られた水を前記容器に供給する凝縮器を備えた、
請求項１〜請求項８のいずれか一項に記載の化学蓄熱装置。
【発明の詳細な説明】
【技術分野】
【０００１】
本発明は、化学蓄熱装置に関する。
【背景技術】
【０００２】
従来、アルカリ土類金属酸化物を充填した反応器と、反応器に供給する水を貯蔵する水タンクとを備え、水タンクの水を反応器に供給して、アルカリ土類金属酸化物の水和反応に伴い発生する熱を利用するようにした化学発熱装置が知られている（例えば、特許文献１参照）。
【先行技術文献】
【特許文献】
【０００３】
【特許文献１】特開平７−１８０５３９号公報
【発明の概要】
【発明が解決しようとする課題】
【０００４】
しかしながら、この化学発熱装置では、次の課題がある。
【０００５】
（１）反応器に水を供給することでアルカリ土類金属酸化物を水和反応させるため、高温を発生させることが困難である。
【０００６】
（２）一つの反応器にて水和反応させるため、反応器の内部に存在する水が４００℃以上の超臨界流体となる。このため、密閉系の内圧が非常に高くなる。
【０００７】
（３）反応器を通過した排ガスで加熱対象である触媒を加熱させるため、熱交換性能が低く、装置の小型化が困難である。
【０００８】
本発明は、上記課題に鑑みてなされたものであって、高温を発生させることができると共に、密閉系の内圧を低く抑えることができ、且つ、小型化することができる化学蓄熱装置を提供することを目的とする。
【課題を解決するための手段】
【０００９】
前記課題を解決するために、請求項１に記載の化学蓄熱装置は、水を貯留する容器と、前記容器と密閉状態で接続されて前記容器から水が供給されると共に、前記容器から供給された水により水和反応して反応熱で水蒸気を発生させ加熱により脱水反応を生じる化合物を内蔵する第一反応器と、前記第一反応器と密閉状態で接続されて前記第一反応器から水蒸気が供給されると共に、前記第一反応器から供給された水蒸気により水和反応を生じることで発熱し加熱により脱水反応を生じることで蓄熱し且つ加熱対象と熱的に接触される化学蓄熱材を内蔵する一対の第二反応器と、前記第一反応器と一対の前記第二反応器の各々とを接続する配管に設けられた開閉弁と、前記開閉弁を制御して、前記第一反応器から一対の前記第二反応器の各々への水蒸気の供給量及び供給タイミングを調節する制御部と、を備え、一方の前記第二反応器、他方の前記第二反応器、及び、前記第一反応器は、エンジンの排ガスを排出する排気管の内部に上流側から順に設けられ、一対の前記第二反応器は、その内部に設けられた前記排ガスを流通させるガス流路に前記排ガスを浄化する触媒を前記加熱対象として担持しており、前記制御部は、前記エンジンの始動時の初期段階では、前記第一反応器から一方の前記第二反応器に水蒸気が供給されるように、前記開閉弁を制御し、前記初期段階以後の段階では、前記一対の第二反応器内の前記化学蓄熱材の温度が、当該化学蓄熱材の平衡温度に達していないならば、前記第一反応器から一対の前記第二反応器の各々に水蒸気が供給されるように、前記開閉弁を制御する。
【００１０】
この化学蓄熱装置によれば、第一反応器に内蔵された化学蓄熱材が水と反応することで発熱し、さらに水が化学蓄熱材に供給されることで水蒸気が生成され、この水蒸気が第二反応器において化学蓄熱材と水和反応することで発熱される。従って、第一反応器及び第二反応器の二段階で発熱されるので、一つの反応器にて水和反応させた場合に比して、高温を発生させることができる。
【００１１】
また、上述のように、第一反応器と第二反応器とに分離すると共に、第一反応器にて高圧の水蒸気をつくりだし、第二反応器にて水蒸気と化学蓄熱材を水和反応させるので、容器、第一反応器、第二反応器、及び、凝縮器を有して構成された密閉系の内圧を低く抑えることができる。
【００１２】
さらに、第二反応器に内蔵された化学蓄熱材が加熱対象と熱的に接触されるので、例えば、化学蓄熱材から加熱対象に気体を介して熱伝達する場合に比して、熱交換性能を高めることができる。これにより、化学蓄熱装置を小型化することができる。
【００１４】
また、この化学蓄熱装置によれば、開閉弁を制御することで、第一反応器から一対の第二反応器の各々への水蒸気の供給量及び供給タイミングを調節することができる。
【００１６】
また、この化学蓄熱装置によれば、第一反応器から一対の第二反応器の各々への水蒸気の供給量及び供給タイミングが調節されることで、加熱対象を適切に加熱することができる。
【００１８】
また、この化学蓄熱装置によれば、エンジンの始動時の初期段階では、第一反応器から上流側の一方の第二反応器に水蒸気が供給されるので、この一方の第二反応器に内蔵された化学蓄熱材を急激に発熱させることができる。また、この化学蓄熱材の発熱により触媒から反応熱を発生させることができる。さらに、上流側の一方の第二反応器で発生した熱で、第一反応器及び下流側の他方の第二反応器等を昇温させることができる。
【００１９】
また、初期段階以後の段階では、第一反応器に水を供給し水蒸気を生成させる際に必要となる第一反応器の熱容量、又は、第一反応器で生成した水蒸気を下流側の他方の第二反応器に供給した際に必要となる他方の第二反応器の熱容量分を、エンジンの始動時の初期段階で発生する上流側の一方の第二反応器の発熱を利用することでキャンセルすることができる。これにより、触媒を加熱する際の反応性を向上させることができる。また、第一反応器では、より高温の水蒸気を生成することができ、下流側の他方の第二反応器では、昇温を期待することができる。
【００２０】
請求項２に記載の化学蓄熱装置は、水を貯留する容器と、前記容器と密閉状態で接続されて前記容器から水が供給されると共に、前記容器から供給された水により水和反応して反応熱で水蒸気を発生させ加熱により脱水反応を生じる化合物を内蔵する第一反応器と、前記第一反応器と密閉状態で接続されて前記第一反応器から水蒸気が供給されると共に、前記第一反応器から供給された水蒸気により水和反応を生じることで発熱し加熱により脱水反応を生じることで蓄熱し且つ加熱対象と熱的に接触される化学蓄熱材を内蔵する一対の第二反応器と、前記第一反応器と一対の前記第二反応器の各々とを接続する配管に設けられた開閉弁と、前記開閉弁を制御して、前記第一反応器から一対の前記第二反応器の各々への水蒸気の供給量及び供給タイミングを調節する制御部と、エンジンの回転数及び吐出圧を検出する運転状態検出器と、を備え、一対の前記第二反応器は、その内部に設けられた前記排ガスを流通させるガス流路に前記排ガスを浄化する触媒を前記加熱対象として担持しており、前記制御部は、前記運転状態検出器の検出結果に基づき、前記エンジンが部分負荷の運転状態にあると判断した場合には、前記第一反応器から一方の前記第二反応器に水蒸気が供給されるように、前記開閉弁を制御し、前記運転状態検出器の検出結果に基づき、前記エンジンが全負荷の運転状態にあると判断した場合には、前記第一反応器から一対の前記第二反応器の各々に、前記一対の第二反応器内の前記化学蓄熱材の平衡温度に達するまで、水蒸気が供給されるように、前記開閉弁を制御する。
【００２１】
この化学蓄熱装置によれば、エンジンの始動時の初期段階において、エンジンが部分負荷の運転状態にある場合、この状態での排ガスエミッションについては、上流側の一方の第二反応器だけを昇温させることで低減することができる。一方、エンジンが全負荷の運転状態にある場合、この状態での排ガスエミッションについては、下流側の他方の第二反応器を昇温させることで低減することができる。
【００３４】
請求項３に記載の化学蓄熱装置は、請求項１または請求項２に記載の化学蓄熱装置において、前記第一反応器が、エンジンの排ガスを排出する排気管の内部に設けられると共に、前記第一反応器の内部に設けられた前記排ガスを流通させるガス流路に前記排ガスを浄化する触媒を担持しているものである。
【００３５】
この化学蓄熱装置によれば、第一反応器の内部に設けられたガス流路には、触媒が担持されているので、脱水反応時には、触媒の反応熱を回収することができる。これにより、第一反応器及び第二反応器に熱を与えて、脱水温度を昇温させることができるので、脱水反応を促進させることができる。また、第一反応器に担持させる触媒として、アンダーフロアー触媒を用いることで化学蓄熱装置の小型化が可能になる。
【００３６】
請求項４に記載の化学蓄熱装置は、水を貯留する容器と、前記容器と密閉状態で接続されて前記容器から水が供給されると共に、前記容器から供給された水により水和反応して反応熱で水蒸気を発生させ加熱により脱水反応を生じる化合物を内蔵する第一反応器と、前記第一反応器と密閉状態で接続されて前記第一反応器から水蒸気が供給されると共に、前記第一反応器から供給された水蒸気により水和反応を生じることで発熱し加熱により脱水反応を生じることで蓄熱し且つ加熱対象と熱的に接触される化学蓄熱材を内蔵する第二反応器と、を備え、前記第一反応器及び前記第二反応器は、エンジンの排ガスを排出する排気管の内部に設けられると共に、前記排気管をその長手方向と直交する方向に切断した場合の同一断面上に配置されており、前記第二反応器は、エンジンの排ガスを排出する排気管の内部に設けられると共に、その内部に設けられた前記排ガスを流通させるガス流路に前記排ガスを浄化する触媒を前記加熱対象として担持している。
【００３７】
この化学蓄熱装置によれば、第一反応器及び第二反応器は、排気管の内部に設けられると共に、この排気管をその長手方向と直交する方向に切断した場合の同一断面上に配置されている。従って、脱水反応時には、第一反応器と第二反応器に同じ温度の排ガスを流入させることができる。また、第一反応器と第二反応器の脱水温度を同じとすることで、第一反応器と第二反応器について均等に脱水反応を促進させることができる。
【００３８】
請求項５に記載の化学蓄熱装置は、請求項４に記載の化学蓄熱装置において、前記第一反応器が、前記第二反応器の重力方向下側に設けられると共に、重力方向における前記第二反応器との間に重力方向に貫通して形成された連通路を介して前記第二反応器と連通されているものである。
【００３９】
第一反応器と第二反応器の配置は、重力方向に並ぶ縦置きと、水平方向に並ぶ横置きが考えられるが、縦置きにする場合、第一反応器を重力方向で下側に配置することが望ましい。
【００４０】
これは容器に貯留された水が第一反応器に過剰に供給され場合、第一反応器で生成した水和反応の熱を水の比熱で消費してしまい、水蒸気の生成を妨げることに加え、液体状態のままの水が第二反応器に直接流入してしまい、第二反応器が高温になることを妨げる恐れがあるからである。
【００４１】
この点、この化学蓄熱装置によれば、第一反応器が重力方向で下側に設けられているので、第二反応器が高温になることを抑制することができる。
【００４２】
請求項６に記載の化学蓄熱装置は、請求項４に記載の化学蓄熱装置において、前記第一反応器及び前記第二反応器が、前記排気管の内部に同軸上に配置されているものである。
【００４３】
この化学蓄熱装置によれば、第一反応器及び第二反応器は、排気管の内部に同軸上に配置されている。従って、第一反応器で生成した水蒸気が第二反応器に到達するまでに通過する水蒸気の通路を最短で形成することが可能で、圧力損失を低減することができる。これにより、第二反応器の高温化を達成することができる。また、水蒸気の通路を容易に多数形成することができるため、第二反応器のより一層の高温化を達成することができる。
【００４４】
請求項７に記載の化学蓄熱装置は、請求項４〜請求項６のいずれか一項に記載の化学蓄熱装置において、前記排気管の内部における前記第一反応器及び前記第二反応器よりも上流側に設けられると共に、前記第一反応器に流れる前記排ガスの流量と、前記第二反応器に流れる前記排ガスの流量との割合を調節する流量割合調整部を備えたものである。
【００４５】
この化学蓄熱装置によれば、エンジンの運転状態に応じて、第一反応器に流れる排ガスの流量と、第二反応器に流れる排ガスの流量との割合を適切に調節することができる。
【００４６】
請求項８に記載の化学蓄熱装置は、請求項７に記載の化学蓄熱装置において、前記排ガスの温度を検出するガス温度検出器と、前記ガス温度検出器に基づく検出値が予め定められた規定値よりも低い場合には、前記第二反応器に流れる前記排ガスの流量の方が、前記第一反応器に流れる前記排ガスの流量よりも多くなるように、前記流量割合調整部を制御する制御部と、を備えたものである。
【００４７】
この化学蓄熱装置によれば、例えば、エンジンの始動時のように、排ガスの温度が低い時には、流量割合調整部によって、第一反応器のガス流路に排ガスが流入しないようにすることができる。
【００５４】
請求項９に記載の化学蓄熱装置は、請求項１〜請求項８のいずれか一項に記載の化学蓄熱装置において、前記第一反応器及び前記第二反応器の少なくとも一方と密閉状態で接続されて前記第一反応器及び前記第二反応器の少なくとも一方から前記脱水反応に伴って生じた水蒸気が供給されると共に、前記第一反応器及び前記第二反応器の少なくとも一方から供給された水蒸気を凝縮させて、該凝縮により得られた水を前記容器に供給する凝縮器を備えたものである。
【００５５】
この化学蓄熱装置によれば、第二反応器から供給された水蒸気を凝縮させて、該凝縮により得られた水を容器に供給することができる。
【発明の効果】
【００５６】
以上詳述したように、本発明の化学蓄熱装置によれば、高温を発生させることができると共に、密閉系の内圧を低く抑えることができ、且つ、小型化することができる。
【図面の簡単な説明】
【００５７】
【図１】本発明の第一実施形態に係る化学蓄熱装置の全体構成を示す図である。
【図２】図１のＡ−Ａ線断面図である。
【図３】図１のＢ−Ｂ線断面図である。
【図４】本発明の第一実施形態における放熱モード時の酸化カルシウムの吸水反応の平衡線、及び、水の気液平衡線を示すグラフである。
【図５】本発明の第二実施形態に係る化学蓄熱装置の全体構成を示す図である。
【図６】図５に示される複数の開閉弁の動作を説明する図である。
【図７】本発明の第三実施形態に係る化学蓄熱装置の全体構成を示す図である。
【図８】図７に示される複数の開閉弁の動作を説明する図である。
【図９】本発明の第四実施形態に係る化学蓄熱装置の全体構成を示す図である。
【図１０】図９に示される複数の開閉弁の動作と、第一反応器及び第二反応器の温度を説明する図である。
【図１１】本発明の第五実施形態に係る化学蓄熱装置を構成する第一反応器の断面図である。
【図１２】本発明の第六実施形態に係る化学蓄熱装置の要部を示す図である。
【図１３】図１２のＣ−Ｃ線断面図である。
【図１４】図１３に示される化学蓄熱装置の変形例を示す図である。
【図１５】本発明の第七実施形態に係る化学蓄熱装置の要部を示す図である。
【図１６】図１５のＤ−Ｄ線断面図である。
【図１７】本発明の第八実施形態に係る化学蓄熱装置の全体構成を示す図である。
【発明を実施するための形態】
【００５８】
［第一実施形態］
はじめに、本発明の第一実施形態について説明する。
【００５９】
図１に示されるように、本発明の第一実施形態に係る化学蓄熱装置１０は、容器１２と、第一反応器１４と、第二反応器１６と、凝縮器１８とを備えている。
【００６０】
容器１２には、水２０が貯留されている。第一反応器１４は、ポンプ２２及び開閉弁２４が設けられた配管２６によって容器１２と密閉状態で接続されている。この第一反応器１４は、図示しないエンジンの排ガス２７を排出する排気管２８の内部に設けられている。
【００６１】
また、図２に示されるように、第一反応器１４の内部には、熱交換部３０が設けられており、この熱交換部３０の内部には、排ガスを流通させるガス流路３２が形成されている。
【００６２】
また、第一反応器１４は、熱交換部３０の周囲に、化合物としての化学蓄熱材３４を内蔵している。この化学蓄熱材３４は、容器１２（図１参照）から供給された水により水和反応して、この水和反応による反応熱で水蒸気を発生させる。また、この化学蓄熱材３４は、排ガスによって加熱されることにより脱水反応を生じる。
【００６３】
本実施形態では、化学蓄熱材３４として、アルカリ土類金属の水酸化物の１つである酸化カルシウム（ＣａＯ）が用いられている。従って、第一反応器１４では、以下の如く、水和反応及び脱水反応が可逆的に繰り返し得るようになっている。
ＣａＯ  ＋  Ｈ２Ｏ  ⇔  Ｃａ（ＯＨ）２
【００６４】
なお、この式に蓄熱量及び発熱量Ｑを併せて示すと、以下のようになる。
Ｃａ（ＯＨ）２  ＋  Ｑ  →  ＣａＯ  ＋  Ｈ２Ｏ
ＣａＯ  ＋  Ｈ２Ｏ  →  Ｃａ（ＯＨ）２  ＋  Ｑ
【００６５】
図１に示されるように、第二反応器１６は、配管３６によって第一反応器１４と密閉状態で接続されている。この第二反応器１６は、排気管２８の内部に設けられると共に、第一反応器１４よりも上流側に配置されている。
【００６６】
また、図３に示されるように、第二反応器１６の内部には、熱交換部４０が設けられており、この熱交換部４０の内部には、排ガスを流通させるガス流路４２が形成されている。
【００６７】
また、第二反応器１６は、熱交換部４０の周囲に、化学蓄熱材４４を内蔵している。この化学蓄熱材４４は、第一反応器１４（図１参照）から供給された水蒸気により水和反応を生じることで発熱する。また、この化学蓄熱材４４は、排ガスによって加熱されることにより脱水反応を生じることで蓄熱する。本実施形態では、化学蓄熱材４４として、例えば、酸化カルシウム（ＣａＯ）が用いられている。
【００６８】
また、ガス流路４２の内部には、排ガスを浄化する触媒４６が担持されている。この触媒４６は、化学蓄熱材４４による加熱対象とされるものであり、熱交換部４０を通じて化学蓄熱材４４と熱的に接触されている。
【００６９】
図１に示されるように、凝縮器１８は、開閉弁４８が設けられた配管５０によって第二反応器１６と密閉状態で接続されると共に、配管５２によって容器１２と密閉状態で接続されている。この凝縮器１８は、流体４５によって冷却され、第二反応器１６から供給された水蒸気を凝縮する構成とされている。
【００７０】
そして、この化学蓄熱装置１０では、容器１２から水が第一反応器１４に供給されると、上記化学式で示されるように、第一反応器１４に内蔵された化学蓄熱材３４が水と水和反応し、この反応熱で水蒸気が発生される。この水蒸気は、第二反応器１６に供給され、第二反応器１６では、同じく上記化学式で示されるように、第一反応器１４から供給された水蒸気と化学蓄熱材４４が水和反応することで発熱される。
【００７１】
一方、第二反応器１６から脱水反応に伴って生じた水蒸気は、凝縮器１８に供給される。そして、凝縮器１８では、第二反応器１６から供給された水蒸気が凝縮されて、該凝縮により得られた水は、容器１２に供給される。
【００７２】
次に、本発明の第一実施形態の作用及び効果について説明する。
【００７３】
本発明の第一実施形態に係る化学蓄熱装置１０によれば、上述のように、第一反応器１４に内蔵された化学蓄熱材３４が水と反応することで発熱し、さらに水が化学蓄熱材３４に供給されることで水蒸気が生成され、この水蒸気が第二反応器１６において化学蓄熱材４４と水和反応することで発熱される。従って、第一反応器１４及び第二反応器１６の二段階で発熱されるので、一つの反応器にて水和反応させた場合に比して、高温を発生させることができる。
【００７４】
そして、第二反応器１６では、触媒４６が化学蓄熱材４４と熱交換部４０を介して熱的に接触されるので、触媒４６をより高温とすることができる。これにより、排ガス２７に含まれるエミッションをより効果的に浄化することができる。
【００７５】
また、第一反応器１４に水を直接供給するため、水和反応熱を直ちに水に伝達することができる。これにより、高い反応速度を得ることができるので、触媒４６を早期に暖機することができる。
【００７６】
また、上述のように、第一反応器１４と第二反応器１６とに分離すると共に、第一反応器１４にて高圧の水蒸気をつくりだし、第二反応器１６にて水蒸気と化学蓄熱材４４を水和反応させるので、容器１２、第一反応器１４、第二反応器１６、及び、凝縮器１８を有して構成された密閉系の内圧を低く抑えることができる。
【００７７】
さらに、第二反応器１６に内蔵された化学蓄熱材４４が加熱対象である触媒４６と熱的に接触されるので、例えば、化学蓄熱材から触媒に排ガスを介して熱伝達する場合に比して、熱交換性能を高めることができる。これにより、化学蓄熱装置１０を小型化することができる。
【００７８】
なお、容器１２の水は、ポンプ２２により第一反応器１４に送液されていたが、自重により第一反応器１４に送液されても良い。
【００７９】
また、第一反応器１４には、化学蓄熱材３４が内蔵されていたが、容器１２から供給された水により水和反応して反応熱で水蒸気を発生させ加熱により脱水反応を生じるものであれば、その他の化合物が内蔵されていても良い。
【００８０】
以上説明した化学蓄熱材３４，４４の蓄熱・発熱について、図４を参照しながら補足する。
【００８１】
図４は、本発明の第一実施形態における放熱モード時の酸化カルシウムの吸水反応の平衡線、及び、水の気液平衡線を示すグラフである。図４の横軸は温度の逆数を示し、縦軸は気体の圧力を示している。また、図４において、実線は酸化カルシウムの吸水反応における平衡線を表しており、破線は水の気液平衡線を表している。
【００８２】
図４に示されるように、放熱モードにおいて、初期温度を０℃とした場合、第一反応器及び第二反応器内の温度と圧力は図中のＡ点となる。ここで第一反応器内に水を供給すると、以下の化学式に示す反応（吸水反応）に伴って、第一反応器内の酸化カルシウム及び水は、図中のＡ点からＢ点へ、温度及び圧力がともに増加する。このとき、高温（約１５０℃）高圧の水蒸気が配管を介して第二反応器へ流入する
【００８３】
ＣａＯ  ＋  Ｈ２Ｏ  ⇔  Ｃａ（ＯＨ）２
【００８４】
そして、第二反応器内の酸化カルシウムは、第一反応器内で生成された高温高圧の水蒸気（図中のＢ点参照）と、さらに上記化学式に示す反応（吸水反応）をし、５６０℃程度（図中のＣ点参照）まで温度が上昇する。この反応における反応熱が、触媒を加熱するために利用される。このため、本実施形態の化学蓄熱装置では、５６０℃程度の高温の熱を出力することができる。
【００８５】
［第二実施形態］
次に、本発明の第二実施形態について説明する。
【００８６】
本発明の第二実施形態では、上述の本発明の第一実施形態に対し、次の如く構成が変更されている。
【００８７】
すなわち、図５に示されるように、本発明の第二実施形態に係る化学蓄熱装置６０は、一対の第二反応器１６Ａ，１６Ｂを備えている。一方の第二反応器１６Ａ、他方の第二反応器１６Ｂ、及び、第一反応器１４は、排気管２８の内部に上流側から順に設けられている。なお、一対の第二反応器１６Ａ，１６Ｂの構成（化学蓄熱材４４を内蔵すると共にガス流路４２に触媒４６を有する構成）は、上述の第一実施形態における第二反応器１６（図３参照）と同一である。
【００８８】
この一対の第二反応器１６Ａ，１６Ｂの各々は、配管６２によって第一反応器１４と密閉状態で接続されている。配管６２は、第一反応器１４から延びる本管６２Ａと、この本管６２Ａと一対の第二反応器１６Ａ，１６Ｂの各々とを接続する一対の分岐管６２Ｂとを有している。この一対の分岐管６２Ｂには、開閉弁６４，６５がそれぞれ設けられている。
【００８９】
さらに、一対の第二反応器１６Ａ，１６Ｂの各々は、配管５０によって凝縮器１８と密閉状態で接続されている。配管５０は、一対の第二反応器１６Ａ，１６Ｂの各々から延びる一対の分岐管５０Ａ，５０Ｂと、この一対の分岐管５０Ａ，５０Ｂと凝縮器１８との間を接続する本管５０Ｃとを有している。
【００９０】
また、この化学蓄熱装置６０は、開閉弁６４，６５を制御する制御部６６を備えている。この制御部６６は、開閉弁６４，６５を制御して、第一反応器１４から一対の第二反応器１６Ａ，１６Ｂの各々への水蒸気の供給量及び供給タイミングを調節する。
【００９１】
例えば、制御部６６は、エンジンの始動時の初期段階では、第一反応器１４から一方の第二反応器１６Ａに水蒸気が供給されるように、開閉弁６４，６５を制御し、初期段階以後の段階では、一対の第二反応器１６Ａ，１６Ｂ内の化学蓄熱材４４の温度が、当該化学蓄熱材４４の平衡温度に達していないならば、第一反応器１４から一対の第二反応器１６Ａ，１６Ｂの各々に水蒸気が供給されるように、開閉弁６４，６５を制御する。図６には、エンジン始動後の開閉弁２４、開閉弁６５、開閉弁６４、及び、開閉弁４８の切り換えの一例が示されている。
【００９２】
次に、本発明の第二実施形態の作用及び効果について説明する。
【００９３】
本発明の第二実施形態に係る化学蓄熱装置６０によれば、エンジンの始動時の初期段階では、第一反応器１４から上流側の一方の第二反応器１６Ａに水蒸気が供給されるので、この一方の第二反応器１６Ａに内蔵された化学蓄熱材４４を急激に発熱させることができる。また、この化学蓄熱材４４の発熱により触媒４６から反応熱を発生させることができる。さらに、上流側の一方の第二反応器１６Ａで発生した熱で、第一反応器１４及び下流側の他方の第二反応器１６Ｂ等を昇温させることができる。
【００９４】
また、初期段階以後の段階では、第一反応器１４に水を供給し水蒸気を生成させる際に必要となる第一反応器１４の熱容量、又は、第一反応器１４で生成した水蒸気を下流側の他方の第二反応器１６Ｂに供給した際に必要となる他方の第二反応器１６Ｂの熱容量分を、エンジンの始動時の初期段階で発生する上流側の一方の第二反応器１６Ａの発熱を利用することでキャンセルすることができる。これにより、触媒４６を加熱する際の反応性を向上させることができる。また、第一反応器１４では、より高温の水蒸気を生成することができ、下流側の他方の第二反応器１６Ｂでは、昇温を期待することができる。
【００９５】
このように、本発明の第二実施形態に係る化学蓄熱装置６０によれば、第一反応器１４から一対の第二反応器１６Ａ，１６Ｂの各々への水蒸気の供給量及び供給タイミングが調節されることで、触媒４６を適切に加熱することができる。
【００９６】
なお、図５に示されるように、本発明の第二実施形態に係る化学蓄熱装置６０は、エンジンの回転数及び吐出圧を検出する運転状態検出器６８を備えると共に、この運転状態検出器６８からの検出結果に基づいて、制御部６６が、次のように動作するように構成されても良い。
【００９７】
すなわち、制御部６６は、運転状態検出器６８の検出結果に基づき、エンジンが部分負荷の運転状態にあると判断した場合には、第一反応器１４から一方の第二反応器１６Ａに水蒸気が供給されるように、開閉弁６４，６５を制御する。また、制御部６６は、運転状態検出器６８の検出結果に基づき、エンジンが全負荷の運転状態にあると判断した場合には、第一反応器１４から一対の第二反応器１６Ａ，１６Ｂの各々に、一対の第二反応器１６Ａ，１６Ｂ内の化学蓄熱材４４の平衡温度に達するまで、水蒸気が供給されるように、開閉弁６４，６５を制御する。
【００９８】
このように構成されていると、エンジンの始動時の初期段階において、エンジンが部分負荷の運転状態にある場合、この状態での排ガスエミッションについては、上流側の一方の第二反応器１６Ａだけを昇温させることで低減することができる。一方、エンジンが全負荷の運転状態にある場合、この状態での排ガスエミッションについては、下流側の他方の第二反応器１６Ｂを昇温させることで低減することができる。
【００９９】
なお、本実施形態において、第二反応器は、二個以上備えられていても良い。
【０１００】
［第三実施形態］
次に、本発明の第三実施形態について説明する。
【０１０１】
本発明の第三実施形態では、上述の本発明の第一実施形態に対し、次の如く構成が変更されている。
【０１０２】
すなわち、図７に示されるように、本発明の第三実施形態に係る化学蓄熱装置７０において、第一反応器１４と第二反応器１６とを接続する配管３６は、第二反応器１６と凝縮器１８とを接続する配管５０の長手方向中間部に接続されている。また、開閉弁４８は、配管５０における配管３６との接続部と凝縮器１８との間に設けられている。
【０１０３】
そして、この化学蓄熱装置７０では、開閉弁４８が閉止状態（第一状態）とされると、第一反応器１４と第二反応器１６とが連通される。一方、開閉弁４８が開放状態（第二状態）とされると、第一反応器１４と凝縮器１８、及び、第二反応器１６と凝縮器１８とがそれぞれ連通される。
【０１０４】
また、この化学蓄熱装置７０は、開閉弁４８を制御する制御部７６を備えている。この制御部７６は、第一反応器１４及び第二反応器１６の水和反応時には、開閉弁４８を閉止状態として、第一反応器１４と第二反応器１６とを連通させる。また、この制御部７６は、第一反応器１４及び第二反応器１６の脱水反応時には、開閉弁４８を開放状態として、第一反応器１４と凝縮器１８、及び、第二反応器１６と凝縮器１８とをそれぞれ連通させる。図８には、エンジン始動後の開閉弁２４及び開閉弁４８の切り換えの一例が示されている。
【０１０５】
次に、本発明の第三実施形態の作用及び効果について説明する。
【０１０６】
例えば、第一反応器１４に内蔵された化学蓄熱材３４の脱水反応時に、第一反応器１４から発生した水蒸気が、第二反応器１６を通過して凝縮器１８に到達する構成であると、第一反応器１４から発生した水蒸気の凝縮器１８までの圧力損失が、第二反応器１６から発生した水蒸気の凝縮器１８までの圧力損失と比較して大きくなる。従って、第一反応器１４に内蔵された化学蓄熱材３４の脱水反応を促進させるためには、第一反応器１４の脱水温度の高温化が必要になる。
【０１０７】
この点、この化学蓄熱装置７０によれば、第一反応器１４及び第二反応器１６の脱水反応時には、開閉弁４８が開放状態に切り替えられて、第一反応器１４と凝縮器１８、及び、第二反応器１６と凝縮器１８とがそれぞれ連通された状態となる。つまり、第一反応器１４の化学蓄熱材３４から発生した水蒸気が第二反応器１６を通過することなく凝縮器１８に到達できるように、第一反応器１４と凝縮器１８とが連通される。従って、第一反応器１４から凝縮器１８に至るまでの圧力損失を低減することができ、第一反応器１４の脱水反応を促進させることが可能になる。
【０１０８】
［第四実施形態］
次に、本発明の第四実施形態について説明する。
【０１０９】
本発明の第四実施形態では、上述の本発明の第一実施形態に対し、次の如く構成が変更されている。
【０１１０】
すなわち、図９に示されるように、本発明の第四実施形態に係る化学蓄熱装置８０において、第一反応器１４からは、配管３６に加えて、第一配管８２が延びており、この第一配管８２は、第二反応器１６と凝縮器１８とを接続する配管５０の長手方向中間部に接続されている。また、配管５０における第一配管８２との接続部と第二反応器１６との間の部分は、第二配管８３とされている。
【０１１１】
また、第一配管８２には、第一流量調整弁としての第一開閉弁８４が設けられており、第二配管８３には、第二流量調整弁としての第二開閉弁８５が設けられている。
【０１１２】
また、この化学蓄熱装置８０は、第一開閉弁８４及び第二開閉弁８５を制御する制御部８６を備えている。この制御部８６は、第一反応器１４及び第二反応器１６の脱水反応時に、第一開閉弁８４を開放させ、第二開閉弁８５を閉止させる。
【０１１３】
また、この化学蓄熱装置８０は、第一反応器１４及び第二反応器１６の温度又は内部圧力を検出する反応状態検出器８８を備えている。そして、制御部８６は、反応状態検出器８８の検出結果に基づいて、第一反応器１４及び第二反応器１６の温度又は内部圧力が等しくなるように、第一開閉弁８４及び第二開閉弁８５を制御する。図１０には、エンジン始動後の開閉弁２４、第一開閉弁８４、及び、第二開閉弁８５の切り換えの一例が示されると共に、第一反応器１４及び第二反応器１６の温度変化の一例が示されている。
【０１１４】
次に、本発明の第四実施形態の作用及び効果について説明する。
【０１１５】
本発明の第四実施形態に係る化学蓄熱装置８０によれば、凝縮器１８と第一反応器１４とを接続する第一配管８２の流量が第一開閉弁８４によって調整されると共に、凝縮器１８と第二反応器１６とを接続する第二配管８３の流量が第二開閉弁８５によって調整される。これにより、第一反応器１４及び第二反応器１６の夫々の脱水反応を制御することができる。また、このように、第一反応器１４及び第二反応器１６の夫々の脱水反応を制御することで、触媒４６を加熱する第二反応器１６の発熱性能の低下を抑制することができる。
【０１１６】
例えば、第一反応器１４の脱水反応が十分に行われない場合、次回システム始動時に第一反応器１４に水を供給しても、第二反応器１６を高温にするための水蒸気を供給することができない。また、例えば、第二反応器１６の脱水反応が十分に行われていない場合、第一反応器１４から供給された水蒸気と反応するだけの化学蓄熱材が存在しないため、高温にすることもできない。この化学蓄熱装置８０によれば、これらの不具合を解消することができる。
【０１１７】
また、この化学蓄熱装置８０によれば、第二反応器１６の方が第一反応器１４よりも排気管２８の上流側に設けられている。従って、第二反応器１６の方が第一反応器１４よりも脱水反応時の温度が高くなり、より脱水反応を促進させることができる。
【０１１８】
ところで、化学蓄熱材４４は脱水反応時に吸熱するため、上流側の第二反応器１６を通過後の排ガスは、下流側の第一反応器１４に至るまでに温度が低下し、第一反応器１４の脱水温度が低下して、第一反応器１４での脱水が阻害されるという問題がある。
【０１１９】
ところが、この化学蓄熱装置８０では、第一反応器１４及び第二反応器１６の脱水反応時には、第二反応器１６と凝縮器１８の間にある第二開閉弁８５を閉止して、第二反応器１６の脱水反応が一時的に停止される。従って、第二反応器１６を通過後の排ガスの温度の低下を抑制でき、第一反応器１４の温度を上昇させることができるので、第一反応器１４での脱水反応を促進させることができる。
【０１２０】
また、この化学蓄熱装置８０によれば、第一反応器１４及び第二反応器１６の温度又は内部圧力が等しくなるように、第一開閉弁８４及び第二開閉弁８５が制御されるので、第一反応器１４での脱水反応及び第二反応器１６での脱水反応をバランス良く促進させることができる。
【０１２１】
［第五実施形態］
次に、本発明の第五実施形態について説明する。
【０１２２】
本発明の第五実施形態では、上述の本発明の第一実施形態に対し、次の如く構成が変更されている。
【０１２３】
すなわち、図１１に示されるように、本発明の第五実施形態において、第一反応器１４は、ガス流路３２に排ガスを浄化する触媒９６を担持している。この触媒９６は、熱交換部３０を通じて化学蓄熱材３４と熱的に接触されている。
【０１２４】
次に、本発明の第五実施形態の作用及び効果について説明する。
【０１２５】
本発明の第五実施形態に係る化学蓄熱装置によれば、第一反応器１４の内部に設けられたガス流路３２には、触媒９６が担持されているので、脱水反応時には、触媒９６の反応熱を回収することができる。これにより、第一反応器１４及び第二反応器１６（図１参照）に熱を与えて、脱水温度を昇温させることができるので、脱水反応を促進させることができる。また、第一反応器１４に担持させる触媒９６として、アンダーフロアー触媒を用いることで化学蓄熱装置の小型化が可能になる。
【０１２６】
［第六実施形態］
次に、本発明の第六実施形態について説明する。
【０１２７】
本発明の第六実施形態では、上述の本発明の第一実施形態に対し、次の如く構成が変更されている。
【０１２８】
すなわち、図１２に示されるように、本発明の第六実施形態に係る化学蓄熱装置１００において、第一反応器１４及び第二反応器１６は、排気管２８の内部に設けられると共に、排気管２８をその長手方向と直交する方向に切断した場合の同一断面上に配置されている。
【０１２９】
また、図１３に示されるように、第一反応器１４は、第二反応器１６の重力方向下側に設けられている。重力方向における第一反応器１４と第二反応器１６との間には、重力方向に貫通する連通路１０２が形成されており、第一反応器１４と第二反応器１６とは、この連通路１０２を介して連通されている。
【０１３０】
さらに、第一反応器１４は、ガス流路３２に排ガスを浄化する触媒９６を担持している。この触媒９６は、熱交換部３０を通じて化学蓄熱材３４と熱的に接触されている。
【０１３１】
また、排気管２８の内部における第一反応器１４及び第二反応器１６よりも上流側には、可動フィン１０４が設けられている。可動フィン１０４は、排気管２８に回動可能に取り付けられており、駆動モータ１０５によって回動されるようになっている。
【０１３２】
そして、この化学蓄熱装置１００では、駆動モータ１０５によって可動フィン１０４の角度が変更されることで、第一反応器１４に流れる排ガスの流量と、第二反応器１６に流れる排ガスの流量との割合が調節される。この可動フィン１０４及び駆動モータ１０５は、本発明における流量割合調整部の一例である。
【０１３３】
また、この化学蓄熱装置１００は、駆動モータ１０５を制御する制御部１０６と、排ガスの温度を検出するガス温度検出器１０８とを備えている。
【０１３４】
制御部１０６は、ガス温度検出器１０８に基づく検出値が予め定められた規定値よりも低い場合には、第二反応器１６に流れる排ガスの流量の方が、第一反応器１４に流れる排ガスの流量よりも多くなるように、駆動モータ１０５を制御する。
【０１３５】
次に、本発明の第六実施形態の作用及び効果について説明する。
【０１３６】
本発明の第六実施形態に係る化学蓄熱装置１００によれば、第一反応器１４及び第二反応器１６は、排気管２８の内部に設けられると共に、この排気管２８をその長手方向と直交する方向に切断した場合の同一断面上に配置されている。従って、脱水反応時には、第一反応器１４と第二反応器１６に同じ温度の排ガスを流入させることができる。また、第一反応器１４と第二反応器１６の脱水温度を同じとすることで、第一反応器１４と第二反応器１６について均等に脱水反応を促進させることができる。
【０１３７】
ところで、第一反応器１４と第二反応器１６の配置は、重力方向に並ぶ縦置きと、水平方向に並ぶ横置きが考えられるが、縦置きにする場合、第一反応器１４を重力方向で下側に配置することが望ましい。
【０１３８】
これは容器１２に貯留された水が第一反応器１４に過剰に供給され場合、第一反応器１４で生成した水和反応の熱を水の比熱で消費してしまい、水蒸気の生成を妨げることに加え、液体状態のままの水が第二反応器１６に直接流入してしまい、第二反応器１６が高温になることを妨げる虞があるからである。
【０１３９】
この点、この化学蓄熱装置１００によれば、第一反応器１４が重力方向で下側に設けられているので、第二反応器１６が高温になることを抑制することができる。
【０１４０】
なお、上記課題を克服できる場合には、図１４に示されるように、第一反応器１４と第二反応器１６とは、水平方向に並ぶ横置きとされても良い。
【０１４１】
また、この化学蓄熱装置１００によれば、例えば、エンジンの始動時のように、排ガスの温度が低い時には、可動フィン１０４によって、第一反応器１４のガス流路３２に排ガスが流入しないようにすることができる。従って、エンジンの運転状態に応じて、第一反応器１４に流れる排ガスの流量と、第二反応器１６に流れる排ガスの流量との割合を適切に調節することができる。
【０１４２】
［第七実施形態］
次に、本発明の第七実施形態について説明する。
【０１４３】
本発明の第七実施形態では、上述の本発明の第六実施形態に対し、次の如く構成が変更されている。
【０１４４】
すなわち、図１５に示されるように、本発明の第七実施形態に係る化学蓄熱装置１１０において、第一反応器１４及び第二反応器１６は、排気管２８の内部に同軸上に配置されている。
【０１４５】
また、図１６に示されるように、第一反応器１４と第二反応器１６との間には、環状に形成された第二反応器１６の径方向に延びる連通路１１２が形成されており、第一反応器１４と第二反応器１６とは、この連通路１１２を介して連通されている。なお、本実施形態では、一例として、第一反応器１４が排気管２８の中心側で、第二反応器１６が環状に形成されて排気管２８の外周側に配置されているが、この逆とされても良い。
【０１４６】
また、図１５に示されるように、可動フィン１０４は、第一反応器１４と第二反応器１６との境界部に対応して一対設けられている。なお、制御部１０６による駆動モータ１０５の制御は、上述の第五実施形態と同様である。
【０１４７】
次に、本発明の第七実施形態の作用及び効果について説明する。
【０１４８】
本発明の第七実施形態に係る化学蓄熱装置１１０によれば、第一反応器１４及び第二反応器１６は、排気管２８の内部に同軸上に配置されている。従って、第一反応器１４で生成した水蒸気が第二反応器１６に到達するまでに通過する水蒸気の通路を最短で形成することが可能で、圧力損失を低減することができる。これにより、第二反応器１６の高温化を達成することができる。また、水蒸気の通路を容易に多数形成することができるため、第二反応器１６のより一層の高温化を達成することができる。
【０１４９】
また、この化学蓄熱装置１１０によっても、例えば、エンジンの始動時のように、排ガスの温度が低い時には、可動フィン１０４によって、第一反応器１４のガス流路４２，３２に排ガスが流入しないようにすることができる。従って、エンジンの運転状態に応じて、第一反応器１４に流れる排ガスの流量と、第二反応器１６に流れる排ガスの流量との割合を適切に調節することができる。
【０１５０】
［第八実施形態］
次に、本発明の第八実施形態について説明する。
【０１５１】
本発明の第八実施形態では、上述の本発明の第一実施形態に対し、次の如く構成が変更されている。
【０１５２】
すなわち、図１７に示されるように、本発明の第八実施形態に係る化学蓄熱装置１２０において、第一反応器１４は、排気管２８の外部に設けられており、第二反応器１６は、排気管２８の内部に設けられている。
【０１５３】
また、第一反応器１４は、第二反応器１６及び排気管２８の少なくとも一方と伝熱部材１２２を介して熱的に接続されている。
【０１５４】
また、第一反応器１４の化学蓄熱材３４には、第二反応器１６の化学蓄熱材４４よりも脱水反応の温度が低いその他の化学蓄熱材が用いられている。例えば、第二反応器１６の化学蓄熱材４４に酸化カルシウムが用いられた場合、第一反応器１４の化学蓄熱材３４としては、酸化マグネシウムを用いることができる。
【０１５５】
次に、本発明の第八実施形態の作用及び効果について説明する。
【０１５６】
本発明の第八実施形態に係る化学蓄熱装置１２０によれば、第一反応器１４が排気管２８の外部に設けられることで、排ガスの圧力損失を低減することができる。
【０１５７】
また、第一反応器１４は、第二反応器１６及び排気管２８の少なくとも一方と熱的に接続されている。従って、第一反応器１４での脱水反応時に必要な熱は、第二反応器１６及び排気管２８の少なくとも一方から供給することができる。
【０１５８】
また、第一反応器１４に内蔵された化学蓄熱材３４は、第二反応器１６に内蔵された化学蓄熱材４４よりも脱水反応の温度が低いその他の化学蓄熱材とされている。従って、第一反応器１４が排気管２８の外部に設けられることで第一反応器１４に供給される熱量が少ない場合でも、第一反応器１４に内蔵されたその他の化学蓄熱材を脱水反応させることができる。
【０１５９】
以上、本発明の一実施形態について説明したが、本発明は、上記に限定されるものでなく、上記以外にも、その主旨を逸脱しない範囲内において種々変形して実施可能である。
【０１６０】
また、上記複数の実施形態のうち、組み合わせ可能な実施形態は、適宜、組み合わされて実施可能である。
【符号の説明】
【０１６１】
１０，６０，７０，８０，１００，１１０，１２０  化学蓄熱装置
１２  容器
１４  第一反応器
１６，１６Ａ，１６Ｂ  第二反応器
１８  凝縮器
２８  排気管
３４  化学蓄熱材（化合物）
３６  配管
４４  化学蓄熱材
４５  流体
４６  触媒（加熱対象）
４８  開閉弁
５０  配管
６２  配管
６４，６５  開閉弁
６６，７６，８６，１０６  制御部
６８  運転状態検出器
８２  第一配管
８３  第二配管
８４  第一開閉弁（第一流量調整弁）
８５  第二開閉弁（第二流量調整弁）
８８  反応状態検出器
９６  触媒
１０２  連通路
１０４  可動フィン（流量割合調整部）
１０５  駆動モータ（流量割合調整部）
１０８ ガス温度検出器
１２２  伝熱部材
【図１】
0005698056.tif 000002
【図２】
0005698056.tif 000003
【図３】
0005698056.tif 000004
【図４】
0005698056.tif 000005
【図５】
0005698056.tif 000006
【図６】
0005698056.tif 000007
【図７】
0005698056.tif 000008
【図８】
0005698056.tif 000009
【図９】
0005698056.tif 000010
【図１０】
0005698056.tif 000011
【図１１】
0005698056.tif 000012
【図１２】
0005698056.tif 000013
【図１３】
0005698056.tif 000014
【図１４】
0005698056.tif 000015
【図１５】
0005698056.tif 000016
【図１６】
0005698056.tif 000017
【図１７】
0005698056.tif 000018